(57)【要約】【課題】            構成が簡素でコンパクトな温風暖房と輻射暖房を実現できる暖房装置を得る。【解決手段】        室内の空気を天井側において吸込み、室内の中央に向かって吹出すように送風機１を組込んだ通風路２を本体３に構成する。通風路２の送風機１の下流側には当該部を流れる空気流を加熱するＰＴＣヒーター８を設ける。通風路２の吹出口９を輻射加熱手段１０で構成する。輻射加熱手段１０は、カーボンランプヒーター１１とこの背面に湾曲した反射板１２を備えた構造とし、一対一組を前後に並んで設け、その反射板１２間で吹出口９を画成する。輻射加熱手段１０には、その反射板１２にカーボンランプヒーター１１の過熱を防ぐ副反射面１４を具備させる。【選択図】          図３
2007040634.tif 000002
【特許請求の範囲】
【請求項１】
一、室内の空気を天井側において吸込み、室内の中央に向かって吹出すように送風機を組込んだ通風路を本体に構成する。二、前記通風路の前記送風機の下流側には当該部を流れる空気流を加熱する電気ヒーターを設ける。三、前記通風路の吹出口を輻射加熱手段で構成する。四、その輻射加熱手段は、輻射ヒーターとこの輻射ヒーターの背面に湾曲した反射板を備えた構造とし、一対一組を前後に並んで設け、その反射板間で吹出口を画成する。五、前記輻射加熱手段には、その前記反射板に前記輻射ヒーターの過熱を防ぐ冷却構造を具備させる。以上、一〜五までを備えた暖房装置。
【請求項２】
請求項１に記載の暖房装置であって、冷却構造を、輻射ヒーターの輻射を同輻射ヒーターから離反させる副反射面で構成した暖房装置。
【請求項３】
請求項１又は請求項２のいずれかに記載の暖房装置であって、冷却構造を輻射ヒーターに送風機の空気流の一部が通過する通風窓で構成した暖房装置。
【請求項４】
請求項１〜請求項３までのいずれかに記載の暖房装置であって、送風機を二連の遠心式羽根車を一つのモーターで駆動させる両吸込形とし、その二つの羽根車の羽根の位相をずらせた暖房装置。
【請求項５】
請求項１〜請求項４までのいずれかに記載の暖房装置であって、送風機と電気ヒーターと輻射加熱手段を制御する制御装置、この制御装置に信号を出力する人感センサーを備え、前記制御装置により前記送風機と前記電気ヒーターの運転による暖房運転と、前記送風機と前記輻射加熱手段の運転による輻射暖房運転のいずれかを行うようにし、輻射暖房運転については前記人感センサーの信号の有無によって決定される暖房装置。
【発明の詳細な説明】
【技術分野】
【０００１】
本発明は、主として浴室の暖房や乾燥に供する暖房装置に関するものである。
【背景技術】
【０００２】
浴室といった利用態様の特異な空間を暖房する装置にはそれなりの工夫が払われている。浴室全体を暖房雰囲気や乾燥雰囲気にするには、浴室の空気を循環させながら空気の昇温を図る送風機と加熱手段の組合わせによる温風装置が暖房の立上がりも良く好適であるが、入浴時には温風が入浴者に直に当たり、体感温度が下がり快適性を損なうことになる。そこで、入浴時には気流感を与えない輻射による輻射暖房を行うように輻射加熱装置を併設した暖房装置が開発されている。なお、この種の従来技術としては、特許文献１に開示されているものがある。
【０００３】
【特許文献１】特開２００５−１０６３７２号公報
【発明の開示】
【発明が解決しようとする課題】
【０００４】
温風暖房と輻射暖房を行うことができるようにした従来の浴室用の暖房装置では、送風機と加熱手段の運転により温風暖房を行い、輻射加熱装置と送風機の運転により輻射暖房を行うようにしている。輻射暖房で送風機を運転させるのは、送風により輻射加熱装置を冷却するためであるが、温風暖房の送風機と同じ送風機であり、輻射暖房によっても送風による風が入浴者に当たり、快適性を損なう気流感を与えてしまう。そこで、吹出口に風向可変板を設け、温風暖房時には温風を浴室の中央に向かって吹出し、輻射暖房時には浴室の壁面に沿って吹出し、入浴者に直に風が当たらないようにしている。しかしながら、風向可変板が必要なことから、送風機の風路構造が制約され、装置が複雑化するとともに大型になるといった問題点がある。このことに伴って、温風暖房と輻射暖房を適切に切換え、より快適な暖房雰囲気を浴室に形成する扱い易い暖房装置の開発が必要になっている。また、本来静寂な浴室空間において送風機の運転音を小さくすることも課題となる。
【０００５】
本発明は、上記した課題を解決するためになされたものであり、その目的とするところは、構成が簡素でコンパクトな温風暖房と輻射暖房を実現できる暖房装置を得ることであり、利用者に、より快適な暖房雰囲気を提供できる暖房装置を得ることであり、扱い易く静粛性に優れた浴室の暖房に好適な暖房装置を得ることである。
【課題を解決するための手段】
【０００６】
上記課題を解決するために本発明は、室内の空気を天井側において吸込み、室内の中央に向かって吹出すように送風機を組込んだ通風路を本体に構成する。通風路の送風機の下流側には当該部を流れる空気流を加熱する電気ヒーターを設ける。通風路の吹出口を輻射加熱手段で構成する。輻射加熱手段は、輻射ヒーターとこの輻射ヒーターの背面に湾曲した反射板を備えた構造とし、一対一組を前後に並んで設け、その反射板間で吹出口を画成する。輻射加熱手段には、その反射板に輻射ヒーターの過熱を防ぐ冷却構造を具備させる。
【発明の効果】
【０００７】
本発明によれば、輻射加熱手段の反射板間に送風機の送風を吹出す吹出口が画成されているので、輻射暖房時においても送風による輻射加熱手段の冷却が可能であり、しかも反射板には冷却構造が備えられているため、輻射加熱手段の輻射暖房能力を少ない風量で引出すことができ、気流感を与えない輻射暖房が実現する。また、風向可変板等の構成が不要なため風路構成の制約も少なく、構成が簡素でコンパクトな浴室暖房に好適な暖房装置が得られる。
【発明を実施するための最良の形態】
【０００８】
本発明の暖房装置は、浴室の上部側壁面に取付け、浴室の暖房や乾燥のために供されるもので、室内の空気を天井側上面において吸込み、室内の中央に向かって正面下部から吹出すように送風機を組込んだ通風路が本体に構成されている。送風機は通風路の上部に設けられ、送風機の下流側の通風路には当該部を流れる空気流を加熱する電気ヒーターが設けられている。通風路の吹出口は輻射加熱手段で構成されている。輻射加熱手段は、輻射ヒーターとこの輻射ヒーターの背面に湾曲した反射板を備えた構造で、一対一組が前後に並んで設けられ、その反射板間で吹出口が画成されている。輻射加熱手段には、その反射板に輻射ヒーターの過熱を防ぐ冷却構造として副反射面が形成されている。各輻射ヒーターの照射方向と各反射板の湾曲円中心線とは合わせられ、さらに湾曲円中心より内側に各輻射ヒーターが配置され、反射板に反射した輻射が輻射ヒーターに再度戻らないようにされている。副反射面は二面構成で、輻射ヒーターの背後の反射板に輻射ヒーターに沿う山形の突条として構成されている。この副反射面によって輻射ヒーターから照射された輻射は、輻射ヒーターから離反する方向に反射され、反射した輻射は輻射ヒーターに一層戻りにくくなる。吹出口は反射板で形成されていて送風により反射板が冷却され、輻射が副反射面で反射されるため、輻射加熱手段の冷却は良好で、輻射加熱手段の輻射暖房能力を少ない風量で引出すことができ、気流感を与えない輻射暖房が実現する。
【０００９】
温風暖房では、電気ヒーターと送風機の運転により浴室の空気を循環させながら昇温させる。この温風暖房は、暖房の立上がりも良く、入浴前の予備暖房や、換気装置との併設による浴室乾燥に適している。入浴時には電気ヒーターは停止させ、輻射加熱手段と送風機の運転によって気流感の少ない輻射暖房を行うことができる。
【００１０】
実施の形態１．
図１〜図７によって示す本実施の形態は、浴室の上部側壁面に取付け、浴室の暖房や乾燥のために供される暖房装置に関するものである。図１は暖房装置を設置状態で示す斜視図、図２は前カバーを外して示す暖房装置の拡大斜視図、図３は同じく暖房装置の縦断側面図、図４は送風機の羽根車の構成を示す斜視図、図５は輻射加熱手段の構成を拡大して示す縦断側面図、図６は反射板の冷却構造を示す拡大斜視図、図７は輻射加熱手段の他の構成を拡大して示す縦断側面図である。
【００１１】
本実施の形態の暖房装置は、室内の空気を天井側上面にていて吸込み、室内の中央に向かって正面下部から吹出すように送風機１を組込んだ通風路２が本体３に構成されている。本体３の正面には着脱可能な前カバー４が装着されている。送風機１は、両吸込み式の遠心ファンで、通風路２の上部に羽根車５の吸込口が左右に位置するように設けられている（図２参照）。二つの羽根車５は、図４に示すように羽根６の位相が半ピッチずらして構成され、回転時の羽根６による回転音の位相がずれることにより、耳ざわりな音の発生が防止されている。これは、二つの羽根車５の羽根数を変えることによっても効果を挙げることができる。
【００１２】
この羽根車５の吸込口に対応して通風路２の吸込口７も本体３の上面左右に設けられている。送風機１の下流側の通風路２には当該部を流れる空気流を加熱する電気ヒーターであるＰＴＣヒーター８が通風路２に横並びに二個設けられている。通風路２の吹出口９は輻射加熱手段１０で構成されている。輻射加熱手段１０は、カーボンランプヒーター１１とこのカーボンランプーヒーター１１の背面に湾曲した反射板１２を備えた構造で、一対一組が前後に並んで設けられ、その反射板１２間で横長の吹出口９が画成されている。輻射加熱手段１０は、保護ガード１３で包まれ、安全性が確保されている。
【００１３】
輻射加熱手段１０には、その反射板１２にカーボンランプヒーター１１の過熱を防ぐ冷却構造として副反射面１４が形成されている（図５，６参照）。各カーボンランプヒーター１１の照射方向と各反射板１２の湾曲円中心線とは合わせられ、さらに湾曲円中心より内側に各カーボンランプヒーター１１が配置され、反射板１２に反射した輻射がカーボンランプヒーター１１に再度戻らないように工夫されている。副反射面１４は二面構成で、カーボンランプヒーター１１の背後の反射板１２にカーボンランプヒーター１１に沿う山形の突条として図６に示すように構成されている。この副反射面１４によってカーボンランプヒーター１１から照射された輻射は、カーボンランプヒーター１１から離反する方向に反射され、反射した輻射はカーボンランプヒーター１１に一層戻りにくくなっている。山形を成す副反射面１４にはもう一つの冷却構造が設けられている。
【００１４】
即ち、副反射面１４の稜線に沿って空気流の一部が通過するスリット状の通風窓１５が図６に示すように開けられている。この通風窓１５は、吹出口９からの送風に誘引された気流が反射板１２の内側から外側へ向かって流れ、或いは、送風の一部が反射板１２の外側から内側へ向かって流れ、カーボンランプヒーター１１を冷却する。通風窓１５は、図７に示すように吹出口９に向かう気流の一部をガイド板１６によって反射板１２の内側に導き込むようにしてもよい。これにより、通風窓１５から導き込まれた気流に誘引されてカーボンランプヒーター１１の外周を冷却気流が流れることになる。副反射面１４については二面構成の他、一連の円弧面としても有効である。
【００１５】
吹出口９は反射板１２で形成されていて送風により反射板１２が冷却され、輻射が副反射面１４で反射され、通風窓１５による通風によって輻射加熱手段１０の冷却は良好で、輻射加熱手段１０の輻射暖房能力を少ない風量で引出すことができ、気流感を与えない輻射暖房が実現する。カーボンランプヒーター１１をこのように冷却することは、失透による石英管の割れ防止にも効果がある。
【００１６】
温風暖房では、ＰＴＣヒーター８と送風機１の運転により浴室の空気を循環させながら昇温させる。この温風暖房は、暖房の立上がりも良く、入浴前の予備暖房や、換気装置との併設による浴室乾燥に適している。入浴時にはＰＴＣヒーター８は停止させ、輻射加熱手段１０と送風機１の運転によって気流感の少ない輻射暖房を行うことができる。
【００１７】
実施の形態２．
図８と図９によって示す本実施の形態は、実施の形態１で示した暖房装置の自動運転に関するものである。実施の形態１と同じ部分については同一の符号を用い、それらについての説明は省略する。この暖房装置は、図８に示すように制御装置１７と人感センサー１８の他にワイヤレスのリモコン１９を備えている。リモコン１９により自動運転モードを設定すると、リモコン１９により自動運転が指示される。リモコン１９の指示は、暖房装置のリモコン受光部（図示しない）で受信され（ステップ♯１）、制御装置１７によって図９に示す制御シーケンスに従って処理される。
【００１８】
リモコン１９は、浴室内に置かれ浴室で操作されることから、操作開始直後の所定時間は人感センサー１８の信号を制御装置１７は処理しない。自動運転モードが確定すると、制御装置１７は送風機１及びＰＴＣヒーター８を駆動させ、入浴前の予備暖房を温風暖房で行う（ステップ♯２）。この時、切タイマーが自動でスタートし、残り時間をカウントする。切タイマーの時間設定は、利用者が行うことができる。
【００１９】
操作開始直後の所定時間が経過したら制御装置１７は、人感センサー１８の信号を受付ける処理をする（ステップ♯３）。浴室に人が入室し、所定時間内に人感センサー１８の出力が所定値以上あれば、制御装置１７は、入浴者有りと確定し、温風暖房から輻射暖房に切換える（ステップ♯４，♯５）。輻射暖房中における非在人検知は、在人検知確定後、在人切タイマーが作動する。在人検知同様に所定時間内の人感センサー１８の出力回数により浴室内の在人検知を行い（ステップ♯６）、在人切タイマーの運転中に在人検知が発生しない場合、人が居ないと判断し、温風暖房に移行する。在人切タイマー運転中に在人検知をした場合には、在人切タイマーをリセットして、再度在人切タイマーで運転する（ステップ♯８）。切タイマーは、運転開始からの積算時間であり、カウントアップと同時に運転を停止する（ステップ♯９）。ただし、入浴中の輻射暖房において切タイマーがカウントアップした場合は、非在人検知が確定するまで運転を継続し（ステップ♯７）、切タイマーのカウントアップで運転を停止する。入浴前の温風暖房では吸込口７に設けられた温度検知手段（サーミスタ等、図示しない）により、空気温度を検知し、所定の温度を検知したらＰＴＣヒーター８の通電を遮断する。この場合、送風機１は運転したままとし、復帰温度に達したらＰＴＣヒーター８へ通電する。入浴中の輻射暖房でも同様に、吸込口７に設けられた温度検知手段により、空気温度を検知し、所定の温度を検知したらカーボンランプヒーター１１への通電を遮断する。この時も、送風機１は運転したままとし、復帰温度に達したらカーボンランプヒーター１１へ通電する。
【００２０】
このように、リモコン１９によって自動運転モードを選択するだけで、入浴前と入浴中のリモコン操作をする煩わしさから解放され、浴室を暖房雰囲気にすることができる。切タイマーによって運転の切り忘れも防止でき、扱い易い浴室暖房装置となる。
【図面の簡単な説明】
【００２１】
【図１】暖房装置を設置状態で示す斜視図である。（実施の形態１）
【図２】前カバーを外して示す暖房装置の拡大斜視図である。（実施の形態１）
【図３】暖房装置の縦断側面図である。（実施の形態１）
【図４】羽根車の構成を示す斜視図である。（実施の形態１）
【図５】輻射加熱手段の構成を拡大して示す縦断側面図である。（実施の形態１）
【図６】反射板の冷却構造を示す拡大斜視図である。（実施の形態１）
【図７】輻射加熱手段の他の構成を拡大して示す縦断側面図である。（実施の形態１）
【図８】暖房装置を設置状態で示す斜視図である。（実施の形態２）
【図９】制御装置の制御シーケンスを示す説明図である。（実施の形態２）
【符号の説明】
【００２２】
１  送風機、  ２  通風路、  ３  本体、  ５  羽根車、  ７  吸込口、  ８  ＰＴＣヒーター、  ９  吹出口、  １０  輻射加熱手段、  １１  カーボンランプヒーター、  １２  反射板、  １４  副反射面、  １５  通風窓、  １７  制御装置、  １８  人感センサー。
【図１】
2007040634.tif 000003
【図２】
2007040634.tif 000004
【図３】
2007040634.tif 000005
【図４】
2007040634.tif 000006
【図５】
2007040634.tif 000007
【図６】
2007040634.tif 000008
【図７】
2007040634.tif 000009
【図８】
2007040634.tif 000010
【図９】
2007040634.tif 000011